(57)【要約】【課題】手間をかけずに、通信相手の機器の状態を表示することが出来る電子機器、近接通信システム、および近接通信プログラムを提供する。【解決手段】表示部と、近接無線通信を行う近接無線通信部と、ユーザーが自機器を通信相手の機器にかざしたとき、前記近接無線通信を用いて前記通信相手の機器の状態に関する情報を受信し、前記受信した状態に関する情報を前記表示部に表示させて、自機器を前記状態に関する情報に対応するモードに移行させる制御部とを備える。【選択図】図４
2015211412.tif 000002
【特許請求の範囲】
【請求項１】
表示部と、
近接無線通信を行う近接無線通信部と、
ユーザーが自機器を前記通信相手の機器にかざしたとき、前記近接無線通信を用いて前記通信相手の機器の状態に関する情報を受信し、
前記受信した状態に関する情報を前記表示部に表示させて、前記自機器を前記状態に関する情報に対応するモードに移行させる制御部と
を備えた電子機器。
【請求項２】
前記近接無線通信より通信速度が高速であり、通信開始には自機器と相手機器とを通信可能な状態とするための設定情報が必要な高速無線通信を行う高速無線通信部を更に備え、
前記制御部は、
前記近接無線通信を用いて前記設定情報を前記通信相手の機器から受信し、
前記自機器を前記状態に関する情報に対応するモードに移行させた後、受信した前記設定情報を用いて前記通信相手の機器と前記高速無線通信を開始する
請求項１に記載の電子機器。
【請求項３】
近接無線通信を行う近接無線通信部と、
前記近接無線通信より通信速度が高速であり、通信開始には自機器と通信相手の機器とを通信可能な状態とするための設定情報が必要な高速無線通信を行う高速無線通信部と、
ユーザーが前記通信相手の機器を自機器にかざしたとき、前記近接無線通信を用いて、自機器の状態に関する情報を送信し、
前記近無線接通信を用いて前記設定情報を前記通信相手の機器に送信し、前記状態に関する情報に対応するモードに移行した前記通信相手の機器の要求に応じて、送信した前記設定情報を用いて前記高速無線通信部を介して前記通信相手の機器と前記高速無線通信を開始する制御部と
を備えた電子機器。
【請求項４】
第１の電子機器および第２の電子機器を含み、
前記第１の電子機器は、
表示部と、
近接無線通信を行う第１の近接無線通信部と、
ユーザーが前記第１の電子機器を前記第２の電子機器にかざしたとき、前記近接無線通信を用いて前記第２の電子機器の状態に関する情報を受信し、
前記受信した状態に関する情報を前記表示部に表示させて、前記自機器を前記状態に関する情報に対応するモードに移行させる第１の制御部と
を備え、
前記第２の電子機器は、
前記近接無線通信を行う第２の近接無線通信部と、
前記ユーザーが前記第１の電子機器を前記第２の電子機器にかざしたとき、前記近接無線通信を用いて、前記第２の電子機器の状態に関する情報を送信する第２の制御部と
を備えた
近接通信システム。
【請求項５】
ユーザーが自機器を通信相手の機器にかざしたとき、近接無線通信を用いて前記通信相手の機器の状態に関する情報を受信し、
前記受信した状態に関する情報を表示部に表示させて、前記自機器を前記状態に関する情報に対応するモードに移行させる制御部として
コンピューターを機能させる近接通信プログラム。
【請求項６】
近接無線通信より通信速度が高速であり、通信開始には自機器と通信相手の機器とを通信可能な状態とするための設定情報が必要な高速無線通信を制御し、
ユーザーが前記通信相手の機器を自機器にかざしたとき、前記近接無線通信を用いて、自機器の状態に関する情報を送信し、
前記近接無線通信を用いて前記設定情報を前記通信相手の機器に送信し、前記状態に関する情報に対応するモードに移行した前記通信相手の機器の要求に応じて、送信した前記設定情報を用いて前記通信相手の機器と前記高速無線通信を開始する制御部として
コンピューターを機能させる近接通信プログラム。
【発明の詳細な説明】
【技術分野】
【０００１】
本発明は、近接無線通信を行う電子機器、近接通信システム、および近接通信プログラムに関する。
【背景技術】
【０００２】
近年、ＮＦＣ（Near Field Communication）技術など、近接場型の無線通信を用いた情報の遣り取りが行われるようになってきた。
【０００３】
また、画像形成装置（ＭＦＰ、Multifunction Peripheral）では、本体の操作パネルの表示エリアが少なかったり、操作ボタンを配置するスペースが少なかったりする場合に、ユーザーの持つスマートフォンやタブレット型コンピューターなどの携帯機器を操作パネルの拡張として用いる「リモートパネル」の機能が実現されるようになってきた（例えば、特許文献１参照）。
【０００４】
そして、画像形成装置と、リモートパネルとなる携帯機器との間で、近接無線通信を用いることも行われるようになってきた。
【０００５】
さらに、無線ＬＡＮやBluetooth（登録商標）など（以下、高速無線通信と呼ぶ）と近接無線通信とを連携させて用いることも行われるようになってきた。この連携では、まず、通信速度は遅いが簡単に通信を開始できる近接無線通信を用いて、通信速度が速い高速無線通信での通信を開始するために必要なペアリング情報を受け渡す事が行われる。そして、通常の通信は、通信速度が速く、通信可能な距離も長い高速無線通信が用いられる。
【先行技術文献】
【特許文献】
【０００６】
【特許文献１】特開２０１３−２２３１３７号公報
【発明の概要】
【発明が解決しようとする課題】
【０００７】
これまで、画像形成装置で紙詰まりなどのエラーが発生した場合や、画像形成装置の電話に着呼があった場合などに、リモートパネルとする携帯機器を画像形成装置にかざしてリモートパネルとしての利用を開始すると、まずリモートパネルの一般的な初期画面が表示された。画像形成装置の状態に関する詳細な情報をリモートパネルに表示させるためには、ユーザーは、明示的な操作をリモートパネルに対して行わなければならず、手間がかかるという問題があった。
【０００８】
以上のような事情に鑑み、本発明の目的は、手間をかけずに、通信相手の機器の状態を表示することが出来る電子機器、近接通信システム、および近接通信プログラムを提供することにある。
【課題を解決するための手段】
【０００９】
（１）上記目的を達成するため、本発明の一形態に係る電子機器は、表示部と、近接無線通信を行う近接無線通信部と、ユーザーが自機器を前記通信相手の機器にかざしたとき、前記近接無線通信を用いて前記通信相手の機器の状態に関する情報を受信し、前記受信した状態に関する情報を前記表示部に表示させて、前記自機器を前記状態に関する情報に対応するモードに移行させる制御部とを備えるので、手間をかけずに、通信相手の機器の状態を表示することが出来る。
【００１０】
（２）上記目的を達成するため、本発明の一形態に係る電子機器は、前記近接無線通信より通信速度が高速であり、通信開始には自機器と相手機器とを通信可能な状態とするための設定情報が必要な高速無線通信を行う高速無線通信部を更に備え、前記制御部は、前記近接無線通信を用いて前記設定情報を前記通信相手の機器から受信し、前記自機器を前記状態に関する情報に対応するモードに移行させた後、受信した前記設定情報を用いて前記通信相手の機器と前記高速無線通信を開始する構成でもよい。
【００１１】
（３）上記目的を達成するため、本発明の一形態に係る電子機器は、近接無線通信を行う近接無線通信部と、前記近接無線通信より通信速度が高速であり、通信開始には自機器と通信相手の機器とを通信可能な状態とするための設定情報が必要な高速無線通信を行う高速無線通信部と、ユーザーが前記通信相手の機器を自機器にかざしたとき、前記近接無線通信を用いて、自機器の状態に関する情報を送信し、前記近無線接通信を用いて前記設定情報を前記通信相手の機器に送信し、前記状態に関する情報に対応するモードに移行した前記通信相手の機器の要求に応じて、送信した前記設定情報を用いて前記高速無線通信部を介して前記通信相手の機器と前記高速無線通信を開始する制御部とを備える。
【００１２】
（４）上記目的を達成するため、本発明の一形態に係る近接通信システムは、第１の電子機器および第２の電子機器を含み、前記第１の電子機器は、表示部と、近接無線通信を行う第１の近接無線通信部と、ユーザーが前記第１の電子機器を前記第２の電子機器にかざしたとき、前記近接無線通信を用いて前記第２の電子機器の状態に関する情報を受信し、前記受信した状態に関する情報を前記表示部に表示させて、前記自機器を前記状態に関する情報に対応するモードに移行させる第１の制御部とを備え、前記第２の電子機器は、前記近接無線通信を行う第２の近接無線通信部と、前記ユーザーが前記第１の電子機器を前記第２の電子機器にかざしたとき、前記近接無線通信を用いて、前記第２の電子機器の状態に関する情報を送信する第２の制御部とを備える。
【００１３】
（５）上記目的を達成するため、本発明の一形態に係る近接通信プログラムは、ユーザーが自機器を通信相手の機器にかざしたとき、近接無線通信を用いて前記通信相手の機器の状態に関する情報を受信し、前記受信した状態に関する情報を表示部に表示させて、前記自機器を前記状態に関する情報に対応するモードに移行させる制御部としてコンピューターを機能させる。
【００１４】
（６）上記目的を達成するため、本発明の一形態に係る近接通信プログラムは、近接無線通信より通信速度が高速であり、通信開始には自機器と通信相手の機器とを通信可能な状態とするための設定情報が必要な高速無線通信を制御し、ユーザーが前記通信相手の機器を自機器にかざしたとき、前記近接無線通信を用いて、自機器の状態に関する情報を送信し、前記近接無線通信を用いて前記設定情報を前記通信相手の機器に送信し、前記状態に関する情報に対応するモードに移行した前記通信相手の機器の要求に応じて、送信した前記設定情報を用いて前記通信相手の機器と前記高速無線通信を開始する制御部としてコンピューターを機能させる。
【発明の効果】
【００１５】
以上のように、本発明によれば、手間をかけずに、通信相手の機器の状態を表示することが出来る。
【図面の簡単な説明】
【００１６】
【図１】本発明の一実施形態にかかる画像形成装置１０の構成図である。
【図２】携帯機器３０として、一般的なスマートフォンやタブレット型コンピューターを用いた場合の構成図である。
【図３】画像形成装置１０において、画像形成装置１０の状態を示す情報を収集し、携帯機器３０に対して送信する処理の流れの例について説明するためのフローチャートである。
【図４】携帯機器３０において、画像形成装置１０の状態を示す初期画面が表示されるまでの処理の流れの例について説明するためのフローチャートである。
【発明を実施するための形態】
【００１７】
以下、図面を参照しながら、本発明の実施形態を説明する。なお、本発明は、近接無線通信と高速無線通信を連携させて用いる一般的な電子機器に適用可能であるが、以下の説明では、画像形成装置と、そのリモートパネルとなる携帯機器とを例として説明する。
【００１８】
［画像形成装置の構成］
最初に、本発明の一実施形態にかかる画像形成装置の構成を説明する。図１は、本発明の一実施形態にかかる画像形成装置１０の構成図である。
【００１９】
画像形成装置１０（電子機器、第２の電子機器）は、制御部１１を備える。制御部１１（第２の制御部）は、ＣＰＵ（Central Processing Unit）、ＲＡＭ（Random Access Memory）、ＲＯＭ（Read Only Memory）、および専用のハードウェア回路等から構成され、画像形成装置１０の全体的な動作制御を司る。
【００２０】
制御部１１は、画像読取部１２、画像処理部１３、画像メモリー１４、画像形成部１５、近距離無線通信部１６（第２の近接無線通信部）、高速無線通信部１７、操作部１８、ファクシミリ通信部１９、ネットワークインターフェイス部２０、記憶部２１等と接続されている。制御部１１は、接続されている上記各部（ブロック）の動作制御や、各ブロックとの間での信号又はデータの送受信を行う。
【００２１】
制御部１１は、ユーザーから、操作部１８またはネッワーク接続されたＰＣ等を通じて入力されるジョブの実行指示に従って、スキャナー機能、印刷機能、コピー機能、およびファクシミリ送受信機能などの各機能についての動作制御を実行するために必要な機構の駆動及び処理を制御する。
【００２２】
制御部１１は、ユーザーがリモートパネルとなる携帯機器を画像形成装置１０にかざすことにより近距離無線通信が開始された時、画像形成装置１０の状態に関する情報を収集し、収集した情報を、近距離無線通信を用いて、かざされた携帯機器に送信する。
【００２３】
また、制御部１１は、通話状態管理部１１ａを有している。通話状態管理部１１ａは、ＲＯＭなどからＲＡＭにロードされたプログラムがＣＰＵにより実行されることで実現される機能ブロックである。通話状態管理部１１ａは、ファクシミリ通信部１９の状態が、「待機中」、「呼出中」、「通話中」、および「保留中」のいずれであるかを管理する。
【００２４】
画像読取部１２は、原稿から画像を読み取る。
【００２５】
画像処理部１３は、画像読取部１２で読み取られた画像の画像データを必要に応じて画像処理する。例えば、画像処理部１３は、画像読取部１２により読み取られた画像が画像形成された後の品質を向上させるために、シェーディング補正等の画像処理を行う。
【００２６】
画像メモリー１４は、画像読取部１２による読み取りで得られた原稿画像のデータを一時的に記憶したり、画像形成部１５での印刷対象となるデータを一時的に記憶したりする領域である。
【００２７】
画像形成部１５は、画像読取部１２で読み取られた画像データ等の画像形成を行う。
【００２８】
近距離無線通信部１６は、特定の距離内に近づいた通信相手と、ＮＦＣなどの近距離無線通信を行う。
【００２９】
高速無線通信部１７は、近距離無線通信より通信速度が高速であるが、通信を開始する為にはペアリング情報が必要な高速無線通信を行う。
【００３０】
なお、ここでいうペアリング情報とは、自機器と相手機器とを通信可能な状態とするための設定情報であり、例えば、無線ＬＡＮであるＷｉ−Ｆｉ（Wireless Fidelity）の場合、無線ＬＡＮ固有の、ＳＳＩＤ（Service Set Identifier）およびパスワードである。
【００３１】
操作部１８は、画像形成装置１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１８ａを備えている。
【００３２】
ファクシミリ通信部１９は、図示しない符号化／復号化部、変復調部、およびＮＣＵ（Network Control Unit）を備え、公衆電話回線網を用いてのファクシミリの送信を行う。なお、ファクシミリ通信部１９では、別途ハンドセットを用意することにより、通常の通話も行うことが出来る。
【００３３】
ネットワークインターフェイス部２０は、ＬＡＮボード等の通信モジュールから構成され、ネットワークインターフェイス部２０に接続されたＬＡＮ等を介して、ローカルエリア内の装置(サーバー、ＰＣ等の外部機器)と種々のデータの送受信を行う。
【００３４】
記憶部２１は、画像読取部１２によって読み取られた原稿画像等を記憶したり、高速無線通信部１７が通信を開始する際に必要となるペアリング情報２１ａを記憶したりする。記憶部２１は、ＨＤＤ（Hard Disk Drive）などの大容量の記憶装置である。
【００３５】
以上、本発明の一実施形態にかかる画像形成装置の構成を説明した。
【００３６】
［携帯機器の構成］
次に、携帯機器の構成について説明する。図２は、携帯機器３０として、一般的なスマートフォンやタブレット型コンピューターを用いた場合の構成図である。
【００３７】
図２に示すように、携帯機器３０（電子機器、第１の電子機器）は、ＣＰＵ３１（制御部、第１の制御部）、ＲＯＭ３２、ＲＡＭ３３、操作入力部３４、高速無線通信部３５、表示部３６、記憶部３７、および近距離無線通信部３９（第１の近接無線通信部）を有し、これら各ブロックがバス３８を介して接続されている。
【００３８】
ＲＯＭ３２は、各種の処理を実行するためのファームウェア等の複数のプログラムやデータを固定的に記憶する。ＲＡＭ３３は、ＣＰＵ３１の作業用領域として用いられ、ＯＳ（Operating System）、実行中の各種アプリケーション、処理中の各種データを一時的に保持する。
【００３９】
記憶部３７は、例えばＨＤＤ（Hard Disk Drive）や、フラッシュメモリー、その他の不揮発性メモリーである。記憶部３７は、高速無線通信部１７が通信を開始する際に必要となるペアリング情報２１ａを記憶する。
【００４０】
高速無線通信部３５は、高速無線通信を用いて、画像形成装置１０などと情報のやりとりを行う。
【００４１】
ＣＰＵ３１は、ＲＯＭ３２や記憶部３７に記憶された複数のプログラムのうち、操作入力部３４から与えられる命令に対応するプログラムをＲＡＭ３３に展開し、この展開されたプログラムにしたがって、表示部３６及び記憶部３７を適宜制御する。
【００４２】
ＣＰＵ３１は、携帯機器３０がユーザーにより画像形成装置１０にかざされ、近距離無線通信部により近距離無線通信が開始された時に、画像形成装置１０より、画像形成装置１０の状態に関する情報を取得し、取得した情報に基づいて、画像形成装置１０の状態を表す初期画面を表示部３６に表示させる。
【００４３】
操作入力部３４は、例えばマウス等のポインティングデバイス、キーボード、タッチパネル、その他の操作装置である。
【００４４】
表示部３６は、例えば液晶ディスプレイ、ＥＬ（Electro-Luminescence）ディスプレイ、プラズマディスプレイ等である。
【００４５】
近距離無線通信部３９は、画像形成装置１０などと近距離無線通信を行う。近距離無線通信部３９は、携帯機器３０がユーザーにより画像形成装置１０にかざされた時に近距離無線通信を開始すると同時に、画像形成装置１０の状態に関する情報を受信する。
【００４６】
以上、携帯機器３０の構成について説明した。
【００４７】
［画像形成装置の状態を送信する処理の流れ］
次に、画像形成装置１０において、画像形成装置１０の状態を示す情報を収集し、携帯機器３０に対して送信する処理の流れについて例を説明する。図３は、画像形成装置１０において、画像形成装置１０の状態を示す情報を収集し、携帯機器３０に対して送信する処理の流れの例について説明するためのフローチャートである。
【００４８】
まず、ユーザーがリモートパネルとする携帯機器３０を画像形成装置１０にかざしたとする（ステップＳ１）。
【００４９】
次に、近距離無線通信部１６が、近距離無線通信を開始する（ステップＳ２）。
【００５０】
次に、制御部１１が、記憶部２１に記憶している、高速無線通信を行う為のペアリング情報を、近距離無線通信部１６を介して携帯機器３０に送信する（ステップＳ３）。
【００５１】
次に、制御部１１が、画像形成装置１０の状態に関する情報を収集する（ステップＳ４）。なお、状態に関する情報は、予め収集され、記憶部２１に記憶されていてもよい。
【００５２】
次に、制御部１１が、収集した情報を、近距離無線通信部１６を介して携帯機器３０に送信する（ステップＳ５）。
【００５３】
次に、制御部１１は、携帯機器３０からの要求に応じて、送信したペアリング情報を用いて、携帯機器３０との間で高速無線通信を開始する（ステップＳ６）。
【００５４】
以上、像形成装置１０において、画像形成装置１０の状態を示す情報を収集し、携帯機器３０に対して送信する処理の流れについて説明した。
【００５５】
［画像形成装置の状態を示す初期画面を表示するまでの処理の流れ］
次に、携帯機器３０において、画像形成装置１０の状態を示す初期画面が表示されるまでの処理の流れについて例を説明する。図４は、携帯機器３０において、画像形成装置１０の状態を示す初期画面が表示されるまでの処理の流れの例について説明するためのフローチャートである。
【００５６】
まず、ユーザーがリモートパネルとする携帯機器３０を画像形成装置１０にかざしたとする（ステップＳ１０）。
【００５７】
次に、近距離無線通信部３９が、近距離無線通信を開始する（ステップＳ１１）。
【００５８】
次に、ＣＰＵ３１は、近距離無線通信部３９を介して、画像形成装置１０と高速無線通信を行う為のペアリング情報を受信する（ステップＳ１２）。
【００５９】
次に、ＣＰＵ３１は、近距離無線通信部３９を介して、画像形成装置１０の状態に関する情報を受信する（ステップＳ１３）。
【００６０】
次に、ＣＰＵ３１は、受信した状態の情報が「通常」を表すものであるか否かを判断する（ステップＳ１４）。
【００６１】
受信した状態の情報が「通常」を表すものである場合（ステップＳ１４のＹｅｓ）、ＣＰＵ３１は、表示部３６に、通常モードの画面を表示させて、携帯機器３０を通常モードに移行させる（ステップＳ１５）。なお、通常モードでは、何もイベントが発生していない状態での操作パネルなど、画像形成装置１０を操作するためのボタン等が表示される。このとき、携帯機器３０は、リモートパネルとして機能する。
【００６２】
受信した状態の情報が「通常」を表すものではない場合（ステップＳ１４のＮｏ）、次に、ＣＰＵ３１は、受信した状態の情報が「着信」を表すものであるか否かを判断する（ステップＳ１６）。
【００６３】
受信した状態の情報が「着信」を表すものである場合（ステップＳ１６のＹｅｓ）、ＣＰＵ３１は、表示部３６に、受話器モードの画面を表示させて、携帯機器３０を受話器モードに移行させる（ステップＳ１７）。なお、受話器モードでは、受話器モードになった携帯機器３０が、ユーザーが通話するためのマイクとスピーカーからなるハンドセットとして機能する。
【００６４】
受信した状態の情報が「着信」を表すものではない場合（ステップＳ１６のＮｏ）、次に、ＣＰＵ３１は、受信した状態の情報が「エラー」を表すものであるか否かを判断する（ステップＳ１８）。
【００６５】
受信した状態の情報が画像形成装置のエラーを表すものである場合（ステップＳ１８のＹｅｓ）、ＣＰＵ３１は、表示部３６に、エラー情報の画面を表示させる（ステップＳ１９）。なお、ここでいうエラーとは、例えば、画像形成装置１０における、紙詰まりや、紙切れ、トナー切れなどのことである。
【００６６】
表示部３６へ初期画面を表示した後、ＣＰＵ３１は、画像形成装置１０に高速無線通信の開始を要求し、受信したペアリング情報を用いて、画像形成装置１０との高速無線通信を開始する（ステップＳ２０）。
【００６７】
このように、ユーザーは、何かイベントが発生している画像形成装置１０に、リモートパネルとする携帯機器３０をかざすだけで、携帯機器３０は発生しているイベントに対応したモードとなり、モードごとの画面を近距離通信後、最初に出す初期画面として表示部３６に表示する。
【００６８】
例えば、画像形成装置１０に電話がかかってきている場合、ユーザーが携帯機器３０をかざすとすぐに、携帯機器３０が受話器モードとなり携帯機器３０をハンドセットとして用いて通話することが出来る。
【００６９】
また、例えば、画像形成装置１０でエラーが発生している場合、ユーザーは携帯機器３０をかざすとすぐに、携帯機器３０の表示部３６に発生したエラーの内容が表示され、ユーザーはすぐエラーに対応することが出来る。
【００７０】
そのため、画像形成装置１０で発生しているイベントとは関係なく、一般的な初期画面が表示される構成に比べて、必要な情報が表示された画面を出すためのユーザーの手間を省くことが出来る。
【００７１】
以上、携帯機器３０において、画像形成装置１０の状態を示す初期画面が表示されるまでの処理の流れについて例を説明した。
【００７２】
［補足事項］
その他、本技術は、上述の実施形態にのみ限定されるものではなく、本技術の要旨を逸脱しない範囲内において種々変更を加え得ることは勿論である。
【符号の説明】
【００７３】
１０  …  画像形成装置
１１  …  制御部
１１ａ…  通話状態管理部
１２  …  画像読取部
１３  …  画像処理部
１４  …  画像メモリー
１５  …  画像形成部
１６  …  近距離無線通信部
１７  …  高速無線通信部
１８  …  操作部
１８ａ…  表示部
１９  …  ファクシミリ通信部
２０  …  ネットワークインターフェイス部
２１  …  記憶部
２１ａ…  ペアリング情報
３０  …  携帯機器
３１  …  ＣＰＵ
３２  …  ＲＯＭ
３３  …  ＲＡＭ
３４  …  操作入力部
３５  …  高速無線通信部
３６  …  表示部
３７  …  記憶部
３８  …  バス
３９  …  近距離無線通信部
【図１】
2015211412.tif 000003
【図２】
2015211412.tif 000004
【図３】
2015211412.tif 000005
【図４】
2015211412.tif 000006